(57)【要約】【課題】発熱や歯痛、打撲時等に熱を下げる冷却シートにおいては額など患部の面積の関係上、冷却シート（支持体）自体の大きさが、ある程度限られていることによる熱放出能力や、塗布される冷却ジェルなどの熱吸収体の量による熱吸収能力が限られていた。本考案では、冷却シート（支持体）の大きさ（貼付け面積）を拡大することなく、高い熱放出能力と熱吸収力を持った冷却シートを開発・提供するものである。【解決手段】熱放出面に凸状の構造物を設け表面積拡大により熱放出能力を向上させる。また、凸部分にも冷却ジェルなどの熱吸収体を充填し、冷却ジェル量を増量したことを特徴とする冷却シート。凸状の構造物は例えば、複数設けられた帯状、円柱状または半球状である。【選択図】図１
0003118976.tif 000002
【実用新案登録請求の範囲】
【請求項１】
冷却シートの熱放出面に、表面積を増大させる構造を設けた事を特徴とする冷却シート。
【請求項２】
前記表面積を増大させる構造は、複数設けられた帯状、円柱状、または半円球状であることを特徴とする請求項１記載の冷却シート。
【考案の詳細な説明】
【技術分野】
【０００１】本考案は、冷却シートの放熱効率の向上に関する。
【背景技術】
【０００２】従来の冷却シートは、発熱や歯痛、打撲や捻挫時などで、頭部や首筋、脇の下の熱もしくは、打撲や捻挫などの患部の冷却に使用するシートである。特に額や頬などに貼る場合、その患部の大きさの関係上、冷却シートの支持体の大きさ（貼付け面積）から熱放出面積に限りがあった。それ故に冷却シートに塗布された熱吸収ジェル量にも制約があり、熱吸収力は冷却用ジェルなどの熱吸収体の性能に関わっている。また、乳幼児や子供用などにおいては更に小さい冷却シートを使わざるを得ない状況である。
【考案の開示】
【考案が解決しようとする課題】
【０００３】冷却シートの支持体の大きさ（貼付け面積）を拡大することなく冷却効率の向上と、冷却ジェルなどの熱吸収体の塗布量を増量した冷却シートを開発・提供することを目的とする。
【課題を解決するための手段】
【０００４】本考案は冷却シートの熱放出面に、冷却効率の向上をねらった凸状の隆起部分を複数設けた冷却シート構造である。また、凸状に隆起した部分にも冷却ジェルを充填した構造の冷却シートである。
【考案の実施例】
【０００５】本考案の実施例を図１に従って詳述すると、冷却シートＡの熱放出面に縦方向に帯状の凸部を設ける。表面上だけ隆起しているため、図３に示す従来品と比較した場合、この部分にも熱吸収ジェルを充填することが可能となる。
【考案の効果】
【０００６】熱放出面へ凸部を複数設けることで表面積が拡大する。これに伴い冷却率が向上し、従来品に比べ患部の冷却作用が向上するともに、凸部が設けられた分、熱吸収ジェル量が増えることで熱吸収率が向上する。特に子供用など患部の面積（冷却シート自体）が小さい場合に有益な効果を奏でる。
【図面の簡単な説明】
【０００７】
【図１】本考案による冷却シートの放熱面を示した斜視図である。
【図２】冷却シートの放熱面を示した平面図である。
【図３】従来製品の冷却シートを示した斜視図である。
【符号の説明】
Ａ冷却シート
Ｂ冷却ジェルなどの熱吸収体
【図１】
0003118976.tif 000003
【図２】
0003118976.tif 000004
【図３】
0003118976.tif 000005
【手続補正書】
【提出日】平成17年8月16日(2005.8.16)
【手続補正１】
【補正対象書類名】明細書
【補正対象項目名】０００３
【補正方法】変更
【補正の内容】
【０００３】  現在、市販されている体の冷却を目的としている熱冷却シートに対し、熱冷却シートの大きさ（皮膚への貼付け面積）を拡大することなく、より高い熱吸収力と冷却効率の向上のため熱放出面（非粘着面）を熱交換率の高い形状とし、また、その形状に伴い熱吸収ジェルの塗布量（充填量）を増量した熱冷却シートの構造を開発・提供することを目的とする。
【手続補正２】
【補正対象書類名】明細書
【補正対象項目名】０００４
【補正方法】変更
【補正の内容】
【０００４】  本考案は、現在各社から市販されている体の冷却を目的としている熱冷却シートの、熱放出面（非粘着面）に、冷却効率の向上をねらった凸状の隆起部分を複数設けた熱冷却シート構造である。また、凸状に隆起した部分にも冷却ジェルを充填した構造の熱冷却シートである。
【手続補正３】
【補正対象書類名】明細書
【補正対象項目名】０００５
【補正方法】変更
【補正の内容】
【０００５】  本考案の実施例を図１に従って詳述すると、熱冷却シートの製造過程において、熱冷却シートＡの熱放出面（非粘着面）にシートの短い辺を縦方向として、帯状の凸部を型押しまたは予め凸状に作成された鋳型へ冷却ジェルＢを注入することによって設ける。表面上だけ隆起しているため、図３に示す従来品と比較した場合、この隆起した部分にも熱吸収ジェルを充填することが可能となる。なお、熱冷却シートの支持体となる不織布等の使用は本考案において限定されるものではない。
【手続補正４】
【補正対象書類名】明細書
【補正対象項目名】０００６
【補正方法】変更
【補正の内容】
【０００６】  熱放出面（非粘着面）へ凸部を複数設けることで表面積が拡大する。これに伴い熱冷却ジェル内の水分の蒸発量が増えることで冷却率が向上し、従来品に比べ患部の冷却作用が向上するともに、凸部が設けられた分、熱吸収ジェル量が増えることで熱吸収率が向上する。特に子供用など患部の面積（熱冷却シート自体）が小さい場合に有益な効果を奏でる。また、シート面が連続した凸状により熱冷却シート同士に隙間が生じるため保存用袋からの取り出しも容易になる。
【手続補正５】
【補正対象書類名】実用新案登録請求の範囲
【補正対象項目名】請求項１
【補正方法】変更
【補正の内容】
【請求項１】
熱吸収用の含水ジェル等と不織布やフィルムなどの支持体で構成または、片面が非粘着処理された含水ジェル等で構成された熱冷却シートであって、熱冷却シートの熱放出面（非粘着面）に、冷却シートの製造過程において熱吸収ジェルが凝固する前に型押しによるまたは、あらかじめ凸状に作成された鋳型へ熱吸収ジェルを注入することにより製作された、表面積を増大させるために凸型の連続した任意の数の隆起構造を設けた事を特徴とする熱冷却シート。
【手続補正６】
【補正対象書類名】実用新案登録請求の範囲
【補正対象項目名】請求項２
【補正方法】変更
【補正の内容】
【請求項２】
前記表面積を増大させる構造は、複数設けられた帯状、円柱状、または半円球状であることを特徴とする請求項１記載の熱冷却シート。なお、不織布やフィルムなどの支持体の有無は本考案において限定されるものではない。
【手続補正書】
【提出日】平成17年11月4日(2005.11.4)
【手続補正１】
【補正対象書類名】実用新案登録請求の範囲
【補正対象項目名】全文
【補正方法】変更
【補正の内容】
【実用新案登録請求の範囲】
【請求項１】
熱吸収用の含水ジェル等と不織布やフィルムなどの支持体で構成または、片面が非粘着処理された含水ジェル等で構成された熱冷却シートであって、熱冷却シートの非粘着面である熱放出面に、冷却シートの製造過程において冷却用ジェルが凝固する前に型押しによるまたは、あらかじめ凸状に作成された鋳型へ冷却用ジェルを注入することにより製作された、表面積を増大させるために凸型の連続した任意の数の隆起構造を設けた事を特徴とする熱冷却シート。
【請求項２】
前記表面積を増大させる構造は、複数設けられた帯状、円柱状、または半円球状であることを特徴とする請求項１記載の熱冷却シート。